(57)【要約】【課題】  従来のシート状物類差込み保持具は、立面取付けタイプの差立て支持具になっている。そして、当たり材３の上面に差立てした帳票類の大部分は、左右に食み出して立面部で宙に浮いたような不安定な状態で差立て支持されている。また、帳票類差立て支持材は手前側にしか開閉できないものになっている。【解決手段】  そこで、第一に平面置き型タイプの差立て支持具を提供する。第二に食み出し部を帳票類下端面受止め材２と載置面Ｂの面上で共に受止めるために、下端面受止め材２の板厚を１〜２ミリ程にする。第三に抜差し時に帳票類同士のずれ上がりが生じないようにするために、おもて面とうら面の差立て支持材が共に内外方向に同時に開閉するようにする。また、帳票類を８０度ほどの傾斜に立てて支持するようにする。そのために下端面受止め材２の上面に下端ずれ止め材２ａを備える。第四に、手のひらサイズでもずれないで差立てができるように差立て支持材の端部にずれ押さえ１ｄを備える。【選択図】図２
2018187906.tif 000002
【特許請求の範囲】
【請求項１】
上部を外側に開くように鉤型状に折り曲げ、その折り曲げ角部を内側に突き出して差込みガイド部１ａを形成する第一部分と、該第一部分と連接しへの字状に折り曲げて弾発力を持つ第一腰バネ１ｂを形成した第二部分を有するおもて面第一帳票類差立て支持材と；
該おもて面第一帳票類差立て支持材と向き合い前記差込みガイド部１ａに接触当接して差立てした帳票類を挟持し支持する挟持支持部分を有するうら面第一帳票類差立て支持材と；
平面状薄板材の帳票類下端面受止め材２の一端部に前記おもて面第一帳票類差立て支持材を固定し、他端部に前記うら面第一帳票類差立て支持材を固定すると共に、前記平面状薄板材の帳票類下端面受止め材２の上面で差立てした帳票類の下端面Ａを受止める帳票類差立て支持具。
【請求項２】
前記おもて面第一帳票類差立て支持材は、前記第一腰バネ１ｂと前記平面状薄板材の帳票類下端面受止め材２の一端部との中間部位に外側に張り出すようにへの字状に折り曲げた弾発力を持つ第二腰バネ１ｃを形成した第三部分を有し；
前記うら面第一帳票類差立て支持材は、前記おもて面第一帳票類差立て支持材と向き合い上部傾斜面３ａと下部傾斜面３ｂを形成するように中間折り曲げ部３ｄでくの字状に折り曲げた弾発力を持つ第四部分と、該第四部分と連接し前記中間折り曲げ部３ｄと前記平面状薄板材の帳票類下端面受止め材２の他端部上面との中間部に外側に張り出すようにへの字状に折り曲げた弾発力を持つ第三腰バネ３ｃを形成した第五部分を有し；
前記平面状薄板材の帳票類下端面受止め材２の一端部に前記おもて面第一帳票類差立て支持材を固定し、他端部に前記うら面第一帳票類差立て支持材を固定すると共に、前記平面状薄板材の帳票類下端面受止め材２の上面で差立てした帳票類の下端面Ａを受止める請求項１記載の帳票類差立て支持具。
【請求項３】
前記おもて面第一帳票類差立て支持材を前記平面状薄板材の帳票類下端面受止め材２の一端部に固定し、他端部に前記おもて面第一帳票類差立て支持材と向き合い前記差込みガイド部１ａに接触当接して差立てした帳票類を挟持し支持する挟持支持部分を有する傾斜板状の前記うら面第一帳票類差立て支持材を固定し；
該傾斜板状のうら面第一帳票類差立て支持材の背面に該傾斜板状のうら面第一帳票類差立て支持材を支持する背面支持材１１を備え、前記傾斜板状のうら面第一帳票類差立て支持材の頂部と前記背面支持材１１の頂部を連結し且つ中間部に開き止め材４を備えて連結し；
且つ、前記平面状薄板材の帳票類下端面受止め材２の上面で差立てした帳票類の下端面Ａを受止める請求項１記載の帳票類差立て支持具。
【発明の詳細な説明】
【技術分野】
【０００１】  本発明は、帳票類差立て支持具に関する。
【背景技術】
【０００２】  従来のシート状物類差込み保持具は、図５および図６に示すように、例えば冷蔵庫などの外面の立面部に磁石または粘着テープなどで取り付けて帳票類を差立て支持する立面取付けタイプのシート状物類差込み保持具になっている。【０００３】  そして、この従来のシート状物類差込み保持具には、当たり材３が備えられているが、この当たり材３の幅寸法は４０ミリほどの幅の狭いものになっている。そのため、この当たり材３の上面に差立て支持される帳票類の大部分は、左右に食み出して立面部で宙に浮いたような不安定な状態で差立て支持されるものになっている。【０００４】  また、この当たり材３は、厚さ数ミリほどの狭い差立てスペースに帳票類を差立てするものになっている。そのため、差立てスペースが小さく、差立てできる枚数が少数枚に限定されるものになっている。【０００５】  また、従来のシート状物類差込み保持具は、帳票類差立て支持材が手前側にだけしか開閉することができないものになっている。そのため、差立てスペースが小さく、差立てできる枚数が少数枚に限定されるものになっている。
【先行技術文献】
【特許文献】
【０００６】
【特許文献１】特許第５８６６６５３号公報
【発明の概要】
【発明が解決しようとする課題】
【０００７】  本発明は、従来のシート状物類差込み保持具が有していた種々の問題を解決するための第一の課題として、従来の立面取付けタイプのシート状物類差込み保持具に代わって、図１から図４に示すような本発明の平面置き型タイプの帳票類差立て支持具を提供する。そして、例えばテーブルなどの平面上に置いて帳票類の安定差立てが手軽にできるようにする。【０００８】  そして、第二の課題として、図１から図４に示すように、平面上で安定して受止めることができるようにする。そのために、帳票類下端面受止め材２の面上と帳票類差立て支持具の載置面Ｂの面上との段差を無くして、帳票類下端面受止め材２の面上と帳票類差立て支持具の載置面Ｂの面上との二つの面上で共に受止めることができるようにする。【０００９】  また、第三の課題として、図４に示すように、おもて面第一帳票類差立て支持材とうら面第一帳票類差立て支持材を帳票類下端面受止め材２の上面に立設して、互いに内外方向に同時に撓んで開閉することができるようにする。そしてこれにより、従来のような手前側の片側にだけしか開閉することができないものに比べて、接触当接部の挟持力や開きなどの面に於いての作用効果を倍増することができるようにする。【００１０】  また、第四の課題として、図４に示すように、帳票類下端面受止め材２の上面に帳票類を８０度ほどの傾斜度をもって立てて差立てすることができるようにする。そして、そのために、下端ずれ止め材２ａを帳票類下端面受止め材２の上面に備えて、帳票類の下端面Ａ部の滑りを押さえて差立てすることができるようにする。【００１１】  また、第五の課題として、図２および図４に示すように、手のひらサイズほどの小さな差立て支持具でも安定差立てができるようにする。そのために、おもて面第一帳票類差立て支持材とうら面第一帳票類差立て支持材の下端部にずれ押さえ１ｄを備えて倒れやずれを押さえて安定差立てができるようにする。
【課題を解決するための手段】
【００１２】  そして、本発明が上記の目的を達成するための第一の課題解決手段は、上部を外側に開くように鉤型状に折り曲げ、その折り曲げ角部を内側に突き出して差込みガイド部１ａを形成する第一部分と該第一部分と連接しへの字状に折り曲げて弾発力を持つ第一腰バネ１ｂを形成した第二部分を有するおもて面第一帳票類差立て支持材と；
該おもて面第一帳票類差立て支持材と向き合い前記差込みガイド部１ａに接触当接して差立てした帳票類を挟持し支持する挟持支持部分を有するうら面第一帳票類差立て支持材と；
平面状薄板材の帳票類下端面受止め材２の一端部に前記おもて面第一帳票類差立て支持材を固定し、他端部に前記うら面第一帳票類差立て支持材を固定すると共に、前記平面状薄板材の帳票類下端面受止め材２の上面で差立てした帳票類の下端面Ａを受止める帳票類差立て支持具による。【００１３】  また、第二の課題解決手段は、前記おもて面第一帳票類差立て支持材は、前記第一腰バネ１ｂと前記平面状薄板材の帳票類下端面受止め材２の一端部との中間部位に外側に張り出すようにへの字状に折り曲げた弾発力を持つ第二腰バネ１ｃを形成した第三部分を有し；
前記うら面第一帳票類差立て支持材は、前記おもて面第一帳票類差立て支持材と向き合い上部傾斜面３ａと下部傾斜面３ｂを形成するように中間折り曲げ部３ｄでくの字状に折り曲げた第四部分と、該第四部分と連接し前記中間折り曲げ部３ｄと前記平面状薄板材の帳票類下端面受止め材２の他端部上面との中間部に外側に張り出すようにへの字状に折り曲げた弾発力を持つ第三腰バネ３ｃを形成した第五部分を有し；
前記平面状薄板材の帳票類下端面受止め材２の一端部に前記おもて面第一帳票類差立て支持材を固定し、他端部に前記うら面第一帳票類差立て支持材を固定すると共に、前記平面状薄板材の帳票類下端面受止め材２の上面で差立てした帳票類の下端面Ａを受止める請求項１記載の帳票類差立て支持具による。【００１４】  また、第三の課題解決手段は、前記おもて面第一帳票類差立て支持材を前記平面状薄板材の帳票類下端面受止め材２の一端部に固定し、他端部に前記おもて面第一帳票類差立て支持材と向き合い前記差込みガイド部１ａに接触当接して差立てした帳票類を挟持し支持する挟持支持部分を有する傾斜板状の前記うら面第一帳票類差立て支持材を固定し；
該傾斜板状のうら面第一帳票類差立て支持材の背面に該傾斜板状のうら面第一帳票類差立て支持材を支持する背面支持材１１を備え、前記傾斜板状のうら面第一帳票類差立て支持材の頂部と前記背面支持材１１の頂部を連結し且つ中間部に開き止め材４を備えて連結し；
且つ、前記平面状薄板材の帳票類下端面受止め材２の上面で差立てした帳票類の下端面Ａを受止める請求項１記載の帳票類差立て支持具による。
【発明の効果】
【００１５】  手のひらサイズほどの小さな差立て支持具であり、どこでも必要な場所に容易に置いて帳票類などを手軽に差立てできる。そして、これにより日常生活上や業務上に於いての物忘れによるロスなどを防止できるので、有益な日用品グッズとして活用できる。また、複数枚のメモや帳票類などを、角度を変えて差立てることにより、見易い状態で種々の要件の分類整理が手軽にできる。【００１６】  また、家庭などに於いては、当日のスーパーのチラシやその買物のメモや郵便物などを手軽に差立てができるので便利な日用品グッズとしても利用できる。また、おもて面差立て支持材の背面側に筆記具なども置けるので便利である。【００１７】  また、業務上に於いては、机上などの手元に置いて未整理の帳票類等を手軽に差立てできるので、効率的な帳票類管理ができる事務用品グッズとしても活用できる。【００１８】  また、構造が単純で、構成材が少なく、製作が簡単で、サイズが小さく、材料費や、設備費も安く、一材種で、量産も容易にできるので、低価格で提供できる。【００１９】  また、人目に付き易いおもて面とうら面に宣伝用や名入りのラベルなどが容易に貼付けできること、そして、人目に付き易い卓上などに置いて毎日利用されるものであることなどから促販品用グッズとしても活用できる。【００２０】  また、手のひらサイズほどの小さな差立て支持具であり、また、日常生活上や業務上に於いての利用度も高く、また、低価格で提供できるので、イベントや販売店のサービス品用グッズなどにも活用できる。
【図面の簡単な説明】
【００２１】
【図１】本発明の帳票類差立て支持具の第一の実施形態を示す斜視図である。
【図２】同帳票類差立て支持具の第二の実施形態を示す斜視図である。
【図３】同帳票類差立て支持具の第三の実施形態を示す斜視図である。
【図４】同帳票類差立て支持具の第二の実施形態の概略側面図である。
【図５】従来の帳票類差立て支持具の実施形態を示す斜視図である。
【図６】従来の帳票類差立て支持具の実施形態を示す概略側面図である。
【発明を実施するための形態】
【００２２】  以下、本発明の第一から第三の実施形態を図１〜図４に基づいて説明する。先ず、図１は、第一実施形態を示すものであって、上部を外側に開くように鉤型状に折り曲げ、その折り曲げ角部を内側に突き出して差込みガイド部１ａを形成する第一部分と第一部分と連接しへの字状に折り曲げて弾発力を持つ第一腰バネ１ｂを形成した第二部分を有するおもて面第一帳票類差立て支持材と、該おもて面第一帳票類差立て支持材と向き合い差込みガイド部１ａに接触当接して差立てした帳票類を挟持し支持する挟持支持部分を有するうら面第一帳票類差立て支持材を平面状薄板材の帳票類下端面受止め材２の上面に立設している。
【００２３】  そして、平面状薄板材の帳票類下端面受止め材２の一端部におもて面第一帳票類差立支持材を固定し、他端部にうら面第一帳票類差立て支持材を固定すると共に、平面状薄板材の帳票類下端面受止め材２の上面で差立てした帳票類の下端面Ａを受止める帳票類差立て支持具である。また、平面状薄板材の帳票類下端面受止め材２の上面より食み出した帳票類の下端面Ａを帳票類差立て支持具の載置面Ｂの上面で共に受止める帳票類差立て支持具である。
【００２４】  また、図２および図４は、第二実施形態を示すものであって、おもて面第一帳票類差立て支持材は、第一腰バネ１ｂと平面状薄板材の帳票類下端面受止め材２の一端部との中間部位に外側に張り出すようにへの字状に折り曲げた弾発力を持つ第二腰バネ１ｃを形成した第三部分を有している。また、うら面第一帳票類差立て支持材は、おもて面第一帳票類差立て支持材と向き合い上部傾斜面３ａと下部傾斜面３ｂを形成するように中間折り曲げ部３ｄでくの字状に折り曲げた第四部分と、第四部分と連接し中間折り曲げ部３ｄと平面状薄板材の帳票類下端面受止め材２の他端部上面との中間部に外側に張り出すようにへの字状に折り曲げた弾発力を持つ第三腰バネ３ｃを形成した第五部分を有している。また、３ｅは、第三腰バネ３ｃの下に連接した下部傾斜面である。
【００２５】  そして、平面状薄板材の帳票類下端面受止め材２の一端部におもて面第一帳票類差立て支持材を固定し、他端部にうら面第一帳票類差立て支持材を固定すると共に、平面状薄板材の帳票類下端面受止め材２の上面で差立てした帳票類の下端面Ａを受止める帳票類差立て支持具である。また、平面状薄板材の帳票類下端面受止め材２の上面より食み出した帳票類の下端面Ａを帳票類差立て支持具の載置面Ｂの上面で共に受止める帳票類差立て支持具である。
【００２６】  また、図２および図４に於いて、下端ずれ止め材２ａは、帳票類下端面受止め材２の面上に鉤型状の小片を備えて差立てした帳票類の下端面のずれを押さえるものである。そして、上部傾斜面３ａおよび傾斜板状のうら面第一帳票類差立て支持材に差立てした帳票類を８０度ほどの傾斜に立てた状態で凭れ（もたれ）掛けて差立てができるように帳票類の下端面のずれを押さえるものである。
【００２７】  そして、図２および図４に於いて、下端ずれ止め材２ａで、差立てした帳票類の下端部のずれを押さえて８０度ほどに立った傾斜度で帳票類の差立てをすることにより、差立てした帳票類の自重の分力により倒れ方向に掛かる接触圧を軽減できるものになっている。そして、これにより、抜差し時に帳票類同士の接触圧により生じる接触干渉によるずれ上がりを押さえて具合の良い帳票類の差立てができるものになっている。
【００２８】  そして、図２および図４に於いて、例えば２０〜３０枚ほどの帳票類の差立てに於いても、その中の任意の１枚を抜差しする場合に、接触干渉によるずれ上がりを生じることなく具合の良い抜差しができるものになっている。
【００２９】  そして、図２および図４に於いて、おもて面第一帳票類差立て支持材の差込みガイド部１ａとうら面第一帳票類差立て支持材の挟持支持部分との接触当接部の差立て隙間が、抜差しする帳票類の一枚単位の厚みに対応して、おもて面第一帳票類差立て支持材およびうら面第一帳票類差立て支持材の下端部を基端部として内外方向に同時に互いにしなやかに撓んで開閉し、差立て隙間部の帳票類を挟持し支持するものになっている。
【００３０】  そして、図２および図４に於いて、おもて面第一帳票類差立て支持材とうら面第一帳票類差立て支持材の、挟持支持部分の差立て隙間部が互いにしなやかに押し合い接触し合っているので、例えば２０〜３０枚ほどの帳票類などを差立てした場合に於いて、おもて面第一帳票類差立て支持材とうら面第一帳票類差立て支持材がそれぞれの挟持支持力のもとに、抜差しする帳票類の一枚単位の厚みに対応して、内外方向に同時に互いにしなやかに撓んで開閉し、差立て隙間部の帳票類を挟持し支持する作用を成すものになっている。
【００３１】  また、図２および図４に於いて、この２０〜３０枚ほどの帳票類の差立てに於いては、おもて面第一帳票類差立て支持材とうら面第一帳票類差立て支持材が互い内外方向に同時に撓んで開閉するので開閉時の挟持支持力および開閉度は半分ずつになる。これにより、従来のような手前側の片側にだけしか開閉することができないものに比べて、接触当接部の挟持力や開きなどの面に於いての作用効果が倍増されるものになっている。
【００３２】  そして、半分ずつのしなやかな挟持支持力で両側から枚数の中心振り分けで互い内外方向に同時に撓んで開閉することにより、例えば２０〜３０枚ほどの帳票類などを差立てした場合に於いても、帳票類同士の接触干渉によるずれ上がりを押さえて一枚単位の抜差しが容易にしなやかにできるものになっている。
【００３３】  また、図２および図４に於いて、おもて面第一帳票類差立て支持材の第一腰バネ１ｂ、第二腰バネ１ｃおよびうら面第一帳票類差立て支持材の第三腰バネ３ｃおよび中間折り曲げ部３ｄの折り曲げ度を適切に調整することによって、うら面第二帳票類差立て支持材の上部傾斜面３ａとおもて面第二帳票類差立て支持材の差込みガイド部１ａが互いにしなやかな弾発力と挟持力を持って接触当接し、差立てする帳票類の抜差し時の帳票類同士の接触干渉を適切に調整し具合の良い帳票類差立てができるものになっている。
【００３４】  また、図２および図４に於いて、帳票類の抜差し時にずれ押さえ１ｄ部を指先で押さえて帳票類差立て支持具を動かない状態にして抜差しすることにより、手のひらサイズほどの小さな軽い帳票類差立て支持具であってもＡ５サイズほどの２０〜３０枚の帳票類の安定差立てができるものになっている。
【００３５】  また、図３は、第三実施形態を示すものであって、おもて面第一帳票類差立て支持材を平面状薄板材の帳票類下端面受止め材２の一端部に固定し、他端部に傾斜板状のうら面第一帳票類差立て支持材を固定する。そして、傾斜板状のうら面第一帳票類差立て支持材の背面に該傾斜板状のうら面第一帳票類差立て支持材を支持する背面支持材１１を備え、傾斜板状のうら面第一帳票類差立て支持材の頂部と背面支持材１１の頂部を連結し且つ中間部に開き止め材４を備えて連結する。
【００３６】  そして、平面状薄板材の帳票類下端面受止め材２の上面で差立てした帳票類の下端面Ａを受止める。また、平面状薄板材の帳票類下端面受止め材２の上面より食み出した帳票類の下端面Ａを帳票類差立て支持具の載置面Ｂの上面で共に受止める帳票類差立て支持具である。
【００３７】  また、図３の第三実施形態において、開き止め材４は、傾斜板状のうら面第一帳票類差立て支持材と該傾斜板状のうら面第一帳票類差立て支持材の背面を支持する背面支持材１１とを連結する開き止め材である。また、傾斜板状のうら面第一帳票類差立て支持材は、傾斜板材に帳票類をもたれ掛けて差立てることにより、帳票類を安定した状態で差立てすることができるものである。また、背面支持材１１は傾斜板状のうら面第一帳票類差立て支持材の背面で倒れを支持する背面支持材である。
【００３８】  ここで、各実施形態においての構成部材の取付けと材種とサイズについて説明する。先ず、帳票類差立て支持具のサイズは、手のひらに載るほどのものが使い勝手が良く好ましい。そして、構成材の寸法や材質やしなやかに撓む弾発力などを適宜選定して、使用目的に合わせた帳票類差立て支持具としたものが好ましい。
【００３９】  また、おもて面第一帳票類差立て支持材およびうら面第一帳票類差立て支持材のサイズは、Ａ５サイズほどの複数枚の帳票類を安定した状態で差立てできるサイズに於いては、幅が４０〜５０ミリほどで、高さが１００〜１５０ミリほどで、板厚が１〜２ミリほどのものが好ましい。また、例えばＡ４サイズなどの複数枚の帳票類を安定した状態で差立てするサイズに於いては、各構成部材のサイズをＡ４サイズなどの差立て材に準じたサイズとしたものが好ましい。
【００４０】  また、おもて面第一帳票類差立て支持材およびうら面第一帳票類差立て支持材の材種は、差立てする帳票類に対応して、しなやかに撓む弾発力をもつ樹脂板または金属板で、板厚が１〜２ミリほどの薄板材が好ましい。そして、帳票類の抜差しに当たって帳票類の１枚単位の厚みに対応して差込み隙間を自動的に調整できるしなやかな弾発力をもつものが好ましい。
【００４１】  また、図２および図４に示すように、ずれ押さえ１ｄは、樹脂板または金属板の薄板材を鉤型に折り曲げした小片材をおもて面第一帳票類差立て支持材およびうら面第一帳票類差立て支持材の下部に外側に張り出すように備えて接着剤で固定するものが好ましい。そして、おもて面第一帳票類差立て支持材およびうら面第一帳票類差立て支持材の下部を帳票類下端面受止め材２の上面に固定するものが好ましい。また、おもて面第一帳票類差立て支持材およびうら面第一帳票類差立て支持材の下部を延長して外側に張り出すように折り曲げしたものでも良い。
【００４２】  そして、ずれ押さえ１ｄをおもて面第一帳票類差立て支持材およびうら面第一帳票類差立て支持材の下部と帳票類下端面受止め材２の上面に固定することによって、おもて面第一帳票類差立て支持材およびうら面第一帳票類差立て支持材の下部の傾斜角度と強度の確保を成すものが好ましい。
【００４３】  そして、帳票類の抜差し時にこのずれ押さえ１ｄを指で押さえて差立てすることにより、手のひらサイズの小さな帳票類差立て支持具であっても、差立て支持具を動かないように押さえて差立てすることにより、Ａ５サイズほどの複数枚の帳票類の差立てに於いてもずれを押さえて安定した状態で差立てできるものが好ましい。
【００４４】  また、図１から図４に示すように、帳票類下端面受止め材２の材種は、平面状薄板材の樹脂板または金属板が好ましい。また、帳票類下端面受止め材２の板厚Ｔは、１〜２ミリほどのものが好ましい。また、板幅は、６０ミリほどのものが好ましい。長さは、８０ミリほどが好ましい。そして、帳票類下端面受止め材２の１〜２ミリほどの板厚により、帳票類差立て支持具の載置面Ｂで段差による傾きが生じない状態で帳票類を安定した状態で差立てできるものが好ましい。
【００４５】  また、図１図２および図４に示すように、うら面第一帳票類差立て支持材の挟持支持部分を有する面およびうら面第一帳票類差立て支持材の上部傾斜面３ａの傾斜度は、８０度ほどに立った傾斜度とするものが好ましい。
【００４６】  そして、差立てした帳票類を上部傾斜面３ａの傾斜面に差込みガイド部１ａが接触当接して挟持すると共に、帳票類下端面受止め材２の上面に備えたずれ押さえ１ｄで帳票類の下端部のずれを押さえることによって、８０度ほどに立った傾斜度で抜差しができるものが好ましい。そして、例えば２０〜３０枚ほどの帳票類の差立てに於いても、その中の任意の１枚を抜差しする場合に、接触干渉によるずれ上がりを生じることなく具合の良い抜差しができるものが好ましい。
【００４７】  また、図３に示すように、傾斜板状のうら面第一帳票類差立て支持材の傾斜度は、８０度ほどに立った傾斜度とするものが好ましい。
また、開き止め材４は、背面支持材１１と傾斜板状のうら面第一帳票類差立て支持材の面間に備えた細長つなぎ材で、折り畳みが可能なものが好ましい。また、傾斜板状のうら面第一帳票類差立て支持材および背面支持材１１は、頂部が折り畳み可能に連結されるものが好ましい。
【００４８】  また、帳票類差立て支持具の第一の製作方法としては、しなやかに撓む弾発力をもつ薄板材を切断加工と、折り曲げ加工と、組立加工と、おもて面第一帳票類差立て支持材とうら面第一帳票類差立て支持材が差込みガイド部１ａ部で適切な挟持力を持って接触当接ができるように調整加工を行う製作方法が考えられる。
【００４９】  また、第二の製作方法としては、前記の第一の製作方法により作製した帳票類差立て支持具の完成品と同様の各構成部材を個々に、または分割して、樹脂成型で作製する。そして、組立加工と、おもて面第一帳票類差立て支持材とうら面第一帳票類差立て支持材が差込みガイド部１ａ部で適切な挟持力を持って接触当接ができるように調整加工を行う製作方法が考えられる。
【００５０】  また、第三の製作方法としては、上述の完成品に於いて、一体成型をするために、おもて面第一帳票類差立て支持材とうら面第一帳票類差立て支持材との差込みガイド部１ａの接触当接部を少し離した状態で立設する。そして、一体成型で作製する。そして、その一体成型品について、おもて面第一帳票類差立て支持材とうら面第一帳票類差立て支持材が差込みガイド部１ａ部で適切な挟持力を持って接触当接ができるように調整加工を行う製作方法が考えられる。
【符号の説明】
【００５１】１      おもて面第一帳票類差立て支持材
１ａ    差込みガイド部
１ｂ    第一腰バネ
１ｃ    第二腰バネ
１ｄ    ずれ押さえ
２      平面状薄板材の帳票類下端面受止め材
２ａ    下端ずれ止め材
３      うら面第一帳票類差立て支持材
３ａ    上部傾斜面
３ｂ    下部傾斜面
３ｃ    第三腰バネ
３ｄ    中間折り曲げ部
３ｅ    第三腰バネ３ｃの下に連接した下部傾斜面
４      開き止め材
１０    傾斜板状のうら面第一帳票類差立て支持材
１１    背面支持材
Ａ      差立てした帳票類の下端面
Ｂ      帳票類差立て支持具の載置面
Ｔ      帳票類下端面受止め材２の板厚
【図１】
2018187906.tif 000003
【図２】
2018187906.tif 000004
【図３】
2018187906.tif 000005
【図４】
2018187906.tif 000006
【図５】
2018187906.tif 000007
【図６】
2018187906.tif 000008
【手続補正書】
【提出日】平成29年8月29日(2017.8.29)
【手続補正１】
【補正対象書類名】明細書
【補正対象項目名】００１２
【補正方法】変更
【補正の内容】
【００１２】  そして、本発明が上記の目的を達成するための第一の課題解決手段は、上部を外側に開くように鉤型状に折り曲げ、その折り曲げ角部を内側に突き出して差込みガイド部１ａを形成する第一部分と該第一部分と連接しへの字状に折り曲げて弾発力を持つ第一腰バネ１ｂを形成した第二部分を有するおもて面第一帳票類差立て支持材と、
該おもて面第一帳票類差立て支持材と向き合い前記差込みガイド部１ａに接触当接して差立てした帳票類を挟持し支持する挟持支持部分を有するうら面第一帳票類差立て支持材とを有し、
前記うら面第一帳票類差立て支持材は、前記おもて面第一帳票類差立て支持材と向き合い上部傾斜面３ａと下部傾斜面３ｂを形成するように中間折り曲げ部３ｄでくの字状に折り曲げた弾発力を持つ第四部分と、該第四部分と連接し前記中間折り曲げ部３ｄと平面状薄板材の帳票類下端面受止め材２の他端部上面との中間部に外側に張り出すようにへの字状に折り曲げた弾発力を持つ第三腰バネ３ｃを形成した第五部分を有し、
前記平面状薄板材の帳票類下端面受止め材２の一端部に前記おもて面第一帳票類差立て支持材を固定し、他端部に前記うら面第一帳票類差立て支持材を固定すると共に、前記平面状薄板材の帳票類下端面受止め材２の上面で差立てした帳票類の下端面Ａを受止めることを特徴とする。
【手続補正２】
【補正対象書類名】明細書
【補正対象項目名】００１３
【補正方法】変更
【補正の内容】
【００１３】  また、第二の課題解決手段は、前記おもて面第一帳票類差立て支持材は、前記第一腰バネ１ｂと前記平面状薄板材の帳票類下端面受止め材２の一端部との中間部位に外側に張り出すようにへの字状に折り曲げた弾発力を持つ第二腰バネ１ｃを形成した第三部分を有することを特徴とする。
【手続補正３】
【補正対象書類名】明細書
【補正対象項目名】００１４
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
上部を外側に開くように鉤型状に折り曲げ、その折り曲げ角部を内側に突き出して差込みガイド部１ａを形成する第一部分と、該第一部分と連接しへの字状に折り曲げて弾発力を持つ第一腰バネ１ｂを形成した第二部分を有するおもて面第一帳票類差立て支持材と、
該おもて面第一帳票類差立て支持材と向き合い前記差込みガイド部１ａに接触当接して差立てした帳票類を挟持し支持する挟持支持部分を有するうら面第一帳票類差立て支持材とを有し、
前記うら面第一帳票類差立て支持材は、前記おもて面第一帳票類差立て支持材と向き合い上部傾斜面３ａと下部傾斜面３ｂを形成するように中間折り曲げ部３ｄでくの字状に折り曲げた弾発力を持つ第四部分と、該第四部分と連接し前記中間折り曲げ部３ｄと平面状薄板材の帳票類下端面受止め材２の他端部上面との中間部に外側に張り出すようにへの字状に折り曲げた弾発力を持つ第三腰バネ３ｃを形成した第五部分を有し、
前記平面状薄板材の帳票類下端面受止め材２の一端部に前記おもて面第一帳票類差立て支持材を固定し、他端部に前記うら面第一帳票類差立て支持材を固定すると共に、前記平面状薄板材の帳票類下端面受止め材２の上面で差立てした帳票類の下端面Ａを受止めることを特徴とする帳票類差立て支持具。
【請求項２】
前記おもて面第一帳票類差立て支持材は、前記第一腰バネ１ｂと前記平面状薄板材の帳票類下端面受止め材２の一端部との中間部位に外側に張り出すようにへの字状に折り曲げた弾発力を持つ第二腰バネ１ｃを形成した第三部分を有することを特徴とする請求項１に記載の帳票類差立て支持具。